(57)【要約】【課題】塗装の対象となる立体的な小物を保持して回転させつつ塗装またはコーティングを行え、装置コストを抑え、回転時のブレやズレを抑えることができる装置を提供する。【解決手段】回転軸２９を水平または垂直にして固体されたモーター１５の回転軸２９に固定される板挟み式のチャック９は、本体３１に固定板３３が形成され、小物５を挟んで締付ける可動板３５を有する。締付けは締付けネジ３７が行う。固定板３３と可動板３５の挟み面３９には、回転軸２９方向に複数条の凹凸４１が形成され、小物５のズレを抑止する。本体３１に対する可動板３５の角度を調整して回転時の芯ブレを抑止するために、動板に開けられた調整ネジ穴４３には、調整ネジ４５が螺合され、調整ネジ４５の先端が本体３１に接触する。【選択図】図１
0003175521.tif 000002
【実用新案登録請求の範囲】
【請求項１】
塗装の対象となる立体的な小物を保持して回転させつつ塗装またはコーティングを行うための回転装置であって、回転軸を水平または垂直にして固体されたモーターと、前記回転軸に固定される板挟み式のチャックと、このチャックの本体に形成された固定板と、この固定板との間に前記小物を挟んで締付ける可動板と、前記締付けを行う締付けネジと、前記固定板と前記可動板の前記小物を挟む挟み面に、前記回転軸方向に形成され、前記小物のズレを抑止する複数条の凹凸と、前記本体に対する前記可動板の角度を調整して回転時の芯ブレを抑止するために、前記可動板に開けられた調整ネジ穴と、このネジ穴に螺合され先端が前記本体に接触する調整ネジと、を有することを特徴とする塗装用回転装置。
【請求項２】
前記小物は、釣具のルアーであり、このルアーは小魚の形状を有し、針や糸を付けるアイとして突設されたワイヤの屈曲部分を、あるいは表面に仮刺しされたピンを、前記チャックによって挟まれ、前記モーターは超低速モーターであり、前記固定は、この超低速モーターの前記回転軸の先端が、前記本体の後端に開口された軸穴へ嵌入され、前記本体の側面に形成された固定ネジ穴から螺合された固定ネジの先端が、前記回転軸の側面を押圧して、行うことを特徴とする請求項１に記載の塗装用回転装置。
【考案の詳細な説明】
【技術分野】
【０００１】
この考案は、釣具やルアーなど、塗装の対象となる小物を保持して回転させつつ塗装、またはコーティングを行うための回転装置に関する。
【背景技術】
【０００２】
塗装の対象となる立体的な小物を保持して、回転させつつ塗装を行うための回転装置は、色々な場合に必要となる。例えば、小物が、釣具やルアーであり、このルアーは小魚の立体形状を有する場合、回転させてコート液を全体に馴染ませることで 液が片寄らず、均一かつ厚く、きれいな塗膜形成を可能にする必要がある。
表面に、種々の模様や色彩を施すことで釣果を上げる工夫がなされるが、この模様や色彩は、塗装によって行われる。
【０００３】
従来のルアーの塗装やコーティングは、ルアーを吊り下げたり、立てかけたりして、何回も繰り返し手作業で行っていた。
また、ものを挟んで回転させる装置としては、工作機械のボール盤や旋盤などに用いられるチャックがあり、このチャックは、例えば３つの爪により物を挟む。
また、下記特許文献１には、そのようなチャックであって、２つの爪でチャックを行う装置が提案されている。
【先行技術文献】
【特許文献】
【０００４】
【特許文献１】特開2011-020183
【考案の概要】
【考案が解決しようとする課題】
【０００５】
しかしながら、従来のように、塗装の対象である小物のルアーを、吊り下げたり、立てかけたりして、何回も繰り返し手作業で行うのは、作業が非効率的であった。
また、工作機械のボール盤や旋盤などに用いられるチャックは、チャックを開閉するための機構が複雑であり、装置コストが高かった。
しかし、簡易な機構のチャックとすると、回転時のブレが生じてしまい、装置として機能が十分でない。また、回転時に対象がチャックからズレてしまうことがある。
この考案は、以上の問題点を解決するために、塗装の対象となる立体的な小物を保持して回転させつつ塗装やコーティングを行うための回転装置であって、装置コストを抑えることができ、回転時のブレやズレを抑えることができる装置を提供することを目的とする。
【課題を解決するための手段】
【０００６】
以上の課題を解決するために、第一考案は、塗装の対象となる立体的な小物を保持して回転させつつ塗装を行うための回転装置であって、回転軸を水平または垂直にして固体されたモーターと、前記回転軸に固定される板挟み式のチャックと、このチャックの本体に形成された固定板と、この固定板との間に前記小物を挟んで締付ける可動板と、前記締付けを行う締付けネジと、前記固定板と前記可動板の前記小物を挟む挟み面に、前記回転軸方向に形成され、前記小物のズレを抑止する複数条の凹凸と、前記本体に対する前記可動板の角度を調整して回転時の芯ブレを抑止するために、前記可動板に開けられた調整ネジ穴と、このネジ穴に螺合され先端が前記本体に接触する調整ネジと、を有することを特徴とする塗装用回転装置である。
【０００７】
第二考案は、さらに、前記小物は、釣具、ルアーであり、このルアーは小魚の形状を有し、針や糸を付けるアイとして突設されたワイヤの屈曲部分を、あるいは表面に仮刺しされたピンを、前記チャックによって挟まれ、前記モーターは超低速モーターであり、前記固定は、この超低速モーターの前記回転軸の先端が、前記本体の後端に開口された軸穴へ嵌入され、前記本体の側面に形成された固定ネジ穴から螺合された固定ネジの先端が、前記回転軸の側面を押圧して、行うことを特徴とする塗装用回転装置である。
【考案の効果】
【０００８】
第一、又は第二考案に係る回転装置によれば、チャックは、シンプルな板挟み式のチャックであるにもかかわらず、締付けネジによって、対象となる立体的な小物を、しっかり保持できる。
また、調整ネジにより可動板の本体に対する角度を調整することで、回転中心からの微妙な偏芯量を簡易に調整でき、回転時の芯ブレを抑止できる。
また、固定板と可動板の挟み面に、回転軸方向に複数条の凹凸を形成することで、小物がズレようとすると、これら凹凸と小物との摩擦が働き、ズレを抑止することができる。よって、装置コストを抑えられる。
第二考案に係る回転装置によれば、さらに、小物である小魚の形状を有する釣具のルアーの針や糸を付けるアイとして突設されたワイヤの屈曲部分を、あるいは表面に仮刺しされたピンを、チャックによって挟むことで、よりしっかりと保持できる。
また、モーターは超低速モーターであることから、ゆっくりとした作業動作が許され、塗料を全体に馴染ませることで液が片寄らず、均一かつ厚く、きれいな塗膜が形成され丁寧な塗装が可能になる。
また、超低速モーターの回転軸の先端が、チャックの本体の後端に開口された軸穴へ嵌入され、本体の側面に形成された固定ネジ穴から螺合された固定ネジの先端が、回転軸の側面を押圧することで、モーターへのチャックの固定がなされ、簡易な機構による固体が可能になり、装置コストを抑えられる。
【図面の簡単な説明】
【０００９】
【図１】この考案の一実施形態に係る塗装用回転装置を示す図で、（Ａ）は使用状態を示す全体図、（Ｂ）は（Ａ）のチャックを、描く角度を変えて裏返し状態で示す拡大斜視図である。
【図２】図１（Ｂ）のチャックの分解平面図である。
【考案を実施するための形態】
【００１０】
この考案の実施形態に係る回転装置を、図１及び図２に示す。
この回転装置１は、塗装の対象３となる立体的な小物５を、水平または垂直に保持し回転させつつ塗装を行うためのものである。
この実施形態において、小物５は、釣具のルアーであり、このルアーは木製で小魚の形状を有する。そして、針や糸を付けるアイとして突設されたワイヤの屈曲部分７を、あるいは表面に仮刺しされたピンを、チャック９によって挟まれ、保持される。図１（Ａ）においては、ルアーの後端のワイヤの屈曲部分７が挟まれている。塗装は有機溶剤が用いられ、ルアーの表面コーティングをも行う。
【００１１】
この小魚の形状を有するルアーは、小魚の頭の部分に、釣り糸を通すためのラインアイ１１が設けられ、腹部と尾部に釣り針を取付けるフックハンガー１３が設けられる。これらのラインアイ１１やフックハンガー１３は、ルアーの内部に設けられた１本の金属ワイヤーが屈曲され、ルアーの針や糸を付けるアイとして突設されたリング状の屈曲部分７である。
【００１２】
モーター１５は、シンクロナスモーターと呼ばれる超低速モーターであり、取付板金具１７によって、例えば工作台に取付けられる。すなわち、取付板金具１７は断面がＬ字状で、一方の面材１９の内側に、モーター１５が固設され、モーター１５の回転軸はこの面材１９を貫通して設けられる。他方の面材２１には、ビス孔２３が形成され、ビス２５によって、木製の工作台などに、取付けられる。その工作台などの取付け面２７が、水平であれば、モーター１５は回転軸２９を水平に設けられる。取付け面２７が、垂直であれば、モーター１５は回転軸２９を垂直に設けられる。なお、図においては、水平である。
【００１３】
モーター１５の回転軸２９には、板挟み式のチャック９が固定される。このチャック９の本体３１には、固定板３３が形成される。この固定板３３との間に小物５を挟むために可動板３５が設けられる。この可動板３５は、締付けネジ３７によって、固定板３３へ向かって締付けられる。締付けネジ３７は、可動板３５の孔３８を通り、固定板３３に形成される締付けネジ孔３６に、螺合する。
【００１４】
固定板３３と可動板３５の相対する内側の面、すなわち小物５を挟む挟み面３９には、複数条の凹凸４１が形成される。これら凹凸４１は、モーター１５の回転軸２９方向に形成され、小物５のズレを抑止する。
可動板３５には、調整ネジ穴４３が開けられる。このネジ穴に調整ネジ４５が螺合される。この調整ネジ４５の先端は本体３１に接触し、本体３１に対する可動板３５の角度を調整する。この調整により、回転時の芯ブレを抑止する。調整ネジ４５はネジヘッドが取り除かれ、近くに隣接する締付けネジ３７等との干渉が防止される。ネジヘッドがなくても、小型ペンチなどでつかんで回転させ、角度の調整を行うことは容易である。
【００１５】
本体３１の後端には軸穴４７が開口され、モーター１５の回転軸２９の先端が、嵌入される。そして、本体３１の側面には、固定ネジ穴４９が形成される。固定ネジ穴４９から螺合された固定ネジ５１の先端が、軸穴４７の内部で、回転軸２９の側面を押圧する。これにより、モーター１５の回転軸２９にチャック９が固定される。
【００１６】
「実施形態の作用・効果」
この回転装置１によれば、チャック９は、シンプルな板挟み式のチャック９であるにもかかわらず、締付けネジ３７によって、対象３となる立体的な小物５を、強く挟み、しっかり保持できる。
【００１７】
そして、モーター１５により、小魚の形状のルアーを、ゆっくりと回転させながら、塗装を行う。回転は３６０度行われ、複雑な形状を有するルアーのどの部位の塗装も、塗装者の無理のない姿勢で、楽に塗装作業が行われる。また、３６０度回転させながらスプレー塗装、ドブ漬け、ハケ塗りなどを行うことで均一な塗膜を形成できる。
また、調整ネジ４５により、可動板３５の後方を高くしたり低くしたりでき、よって、可動板３５の本体３１に対する角度を調整できる。この調整により、可動板３５を回転中心からの遠くしたり、近くしたり、できる。よって、回転する部分の微妙な偏芯量を簡易に調整でき、回転時の芯ブレを抑止できる。
【００１８】
また、固定板３３と可動板３５の挟み面３９に、回転軸２９方向に複数条の凹凸４１を形成することで、小物５がズレようとすると、これら凹凸４１と小物５との摩擦が働くことになる。その摩擦により、ズレを抑止することができる。また、ズレが大きくなり脱落することも防止できる。
【００１９】
このようにして、シンプルな構成のチャック９であるにもかかわらず、対象小物をしっかり保持でき、回転時の芯ブレを抑え、対象小物のズレを抑えることができ、よって、装置コストを抑えられる。
小物５である小魚の形状を有する釣具のルアーの針や糸を付ける突設されたワイヤの屈曲部分７を、チャック９によって挟むことで、よりしっかりと保持できる。
また、モーター１５は超低速モーターであることから、ゆっくりとした作業動作が許され、塗料を全体に馴染ませることで、液が片寄らず、均一かつ厚く、きれいな塗膜形成し丁寧な塗装が可能になる。
また、超低速モーターの回転軸２９の先端が、チャック９の軸穴４７へ嵌入され、本体３１の側面の固定ネジ穴４９から螺合された固定ネジ５１が、回転軸２９の側面を押えることで、モーター１５へのチャック９の固定がなされ、簡易な機構による固体が可能になる。よって、装置コストを抑えられる。
【００２０】
モーター１５は、ビス２５を外し、木製の工作台などへの取り付けにおいて、取り付け面を水平から垂直に、容易に変更でき、これにより、水平軸回りの回転から、垂直軸回りの回転へ、容易に変更できる。
垂直な状態で回転することで、対象を、塗装やコーティングの溶液へ、より容易にドブ漬けでき、作業がより効率的になる。
【００２１】
「他の実施形態」
以上の実施形態では、保持し回転する対象３は、釣具の小魚の形状を有するルアーであったが、他の実施形態では、塗装を必要とする他のルアー、あるいはルアー以外で塗装を必要とする小物５の釣り具でも、回転し塗装することができる。さらには、釣り具以外の立体的な小物の塗装も可能である。
【００２２】
以上の実施形態では、対象３は、針や糸を付けるアイの突設されたワイヤの屈曲部分７をチャック９によって挟まれるものであったが、他の実施形態では、対象３の表面に仮刺しされたピンを、チャック９によって挟まれるものでもよい。
【符号の説明】
【００２３】
１…回転装置、３…対象、５…小物、７…屈曲部分、９…チャック、１１…ラインアイ、１３…フックハンガー、１５…モーター、１７…取付板金具、１９…一方の面材、２１…他方の面材、２３…ビス孔、２５…ビス、２７…取付け面、２９…回転軸、３１…本体、３３…固定板、３５…可動板、３６…締付けネジ孔、３７…締付けネジ、３９…挟み面、４１…凹凸、４３…調整ネジ穴、４５…調整ネジ、４７…軸穴、４９…固定ネジ穴、５１…固定ネジ。
【図１】
0003175521.tif 000003
【図２】
0003175521.tif 000004